(57)【特許請求の範囲】
【請求項１】
脚柱で支持された座体と、少なくとも着座した人の腰に当たる部分が撓み変形し得る背もたれ板とを備えており、前記背もたれ板の後方に、当該背もたれ板のうち縦長心線を挟んだ両側の部位でかつ着座した人の腰部の高さ位置の部分を手前側に押す左右押圧体が高さ調節可能に配置されており、更に、前記背もたれ板及び押圧体の裏側にはバックカバーが配置されている一方、前記左右の押圧体は一緒に上下動するようにハンドルに取付けられている、
という移動可能な椅子であって、
前記ハンドルは、前記バックカバーの裏側において水平状に延びる部分とその左右両端に連続すると共に押圧体が連結された左右端部とを有しており、このため、前記バックカバーはハンドルによって裏側と左右両側から囲われていると共に、人は着座した状態でハンドルを上下動操作することが可能ならしめられており、
更に、前記ハンドルの左右端部は押圧体との連結部から下方に延びている、
ランバーサポート機能付き椅子。
【請求項２】
前記背もたれ板とバックカバーとの間には昇降体が上下動自在に配置されており、前記昇降体に、前記左右の押圧体がその上部を中心にして前後回動するように支軸にて取付けられており、前記押圧体は、その下部が背もたれ板に当たっていると共に、外周に回転軸心からの距離が相違する複数のカム面が形成されたカムによって回動姿勢を切り替えられるようになっている、
請求項１に記載したランバーサポート機能付き椅子。
【請求項３】
前記押圧体は、上端部を中心にして回動するアームとその下端部に設けたローラとから成っている、
請求項２に記載したランバーサポート機能付き椅子。
【発明の詳細な説明】
【０００１】
【発明の属する技術分野】
本発明は、ランバーサポート機能付き椅子に関するものである。
【０００２】
【従来の技術】
椅子において、腰掛けた人が脊椎に負担が掛からない正しい姿勢を保持できるように、
ランバーサポートを設けた背もたれ装置が提案されている。
【０００３】
このランバーサポートは、背もたれ板のうち着座した人の腰椎の当たりを後方から押すものであり、背もたれ板を合成樹脂のような弾性変形可能な素材で製造して、背もたれ板をランバーサポートで後方から押して撓み変形させるようになっている。
【０００４】
また、ランバーサポートを高さ調節可能とすることにより、使用者の身長（正確には座高）の違いに対応できるようにすることも行われている。
【０００５】
【発明が解決しようとする課題】
従来のランバーサポートは、背もたれ板のうち左右中央部だけを押しているか、或いは、背もたれ板を全幅にわたって支持している。
【０００６】
しかし、背もたれ板の左右中央部だけを押すものでは、背もたれ板の変形が急激になり過ぎてフィット性に欠ける虞があった。他方、背もたれ板の左右全幅にわたって延びるものは、背もたれ板を変形させる機能が低く、これまたフィット性に欠ける虞があった。
【０００７】
本発明は、このような現状を改善することを課題とするものである。
【０００８】
【課題を解決するための手段】
本願発明は、「脚柱で支持された座体と、少なくとも着座した人の腰に当たる部分が撓み変形し得る背もたれ板とを備えており、前記背もたれ板の後方に、当該背もたれ板のうち縦長心線を挟んだ両側の部位でかつ着座した人の腰部の高さ位置の部分を手前側に押す左右押圧体が高さ調節可能に配置されており、更に、前記背もたれ板及び押圧体の裏側にはバックカバーが配置されている一方、前記左右の押圧体は一緒に上下動するようにハンドルに取付けられている」、という移動可能な椅子に関する。
【０００９】
そして、請求項１の発明では、前記ハンドルは、前記バックカバーの裏側において水平状に延びる部分とその左右両端に連続すると共に押圧体が連結された左右端部とを有しており、このため、前記バックカバーはハンドルによって裏側と左右両側から囲われていると共に、人は着座した状態でハンドルを上下動操作することが可能ならしめられており、更に、前記ハンドルの左右端部は押圧体との連結部から下方に延びている。
【００１０】
請求項２の発明は、請求項１において、前記背もたれ板とバックカバーとの間には昇降体が上下動自在に配置されており、前記昇降体に、前記左右の押圧体がその上部を中心にして前後回動するように支軸にて取付けられており、前記押圧体は、その下部が背もたれ板に当たっていると共に、外周に回転軸心からの距離が相違する複数のカム面が形成されたカムによって回動姿勢を切り替えられるようになっている。
【００１１】
請求項３の発明は、請求項２において、前記押圧体は、上端部を中心にして回動するアームとその下端部に設けたローラとから成っている。
【００１２】
【発明の作用・効果】
本発明のように、背もたれ板を長手中心線を挟んだ両側において押圧体で押すと、背もたれ板を介して着座者の腰部が左右両側から支持される状態になるため、背もたれ板に対する人の体圧を分散させることができる。
【００１３】
このように人の体圧を分散させることにより、人への負担を軽減した状態で腰部を的確に支持することができ、しかも、背もたれ板は左右押圧体の間で変形可能であることにより、人の腰部へのフィット性を向上できるのであり、これらが相俟って、着座した人に、腰部を的確に支持しつつ快適な座り心地を与えることができる。
【００１４】
そして、ハンドルに手を掛けて上下に押し引きするだけで左右の押圧体を同時に上下動させることができるため、使用者の身長に応じて押圧体の高さを調節することを、ワンタッチで行える利点である。
【００１５】
また、連結体はバックカバーの裏側において水平状に延びる部分を有しているため、上着や傘等の物品を掛けることに使用したり、椅子を移動する場合の把手代わりに使用したりするなど、他の用途にも使用することができて、何かと重宝である。
【００１６】
ところで、人の骨格や体型は様々であり、背中と腰との前後関係も様々である。この点、請求項２のように構成すると、使用者の体格や骨格の違いに応じて押圧体の突出位置を調節できるため、使用者の体格や骨格の違いに的確に対応できる利点がある。
【００１７】
【発明の実施形態】
次に、本発明の実施形態を図面に基づいて説明する。本発明は座体が背もたれに連動して後傾動するシンクロタイプの椅子に適用しており、図１は椅子の右側面図、図２は正面図である。
【００１８】
(1).概要
これら図１及び図２に示すように、椅子は、脚柱（ガスシリンダ）１を備えた脚と、脚柱１の上端に固定した座受け体２と、座受け体２の上方に配置した中間支持体３と、中間支持体３に取り付けた座体４と、背もたれ５と、左右一対の背支持フレーム（背支柱）６とを備えている。
【００１９】
座体４の前部と中間支持体３の前部とが左右長手の第１支軸７で連結されており、背支持フレーム６の前端部と座受け体２とが左右長手の第２支軸８で連結されており、背支持フレーム６と座体４とは、第２支軸８よりも後方の部位において左右長手の第３支軸９で連結されている。
【００２０】
各部材は軸７，８，９を介して相対回動自在に連結されており、第１支軸７が嵌まっている座体４の穴を側面視後傾状の長穴１０とすることにより、第１支軸７をスライド軸としている。このため、背もたれ５が後傾すると、中間支持体３及び座体４は、背もたれ５の後傾割合よりも小さい割合で後傾しつつ後退動する。
【００２１】
背もたれ５は、合成樹脂製の背もたれ板（背インナー部材）１１の前面にクッション１２を張った構造になっており、背もたれ板１１の後方には背支持機構１３が延びている。背支持機構１３は、左右一対の背支持フレームの上部６ａ（以下、背支持フレームの上部は単に「背支持フレーム６ａ」と表示する）と、この背支持フレーム６ａに固定したバックプレート１４とで構成されている。
【００２２】
バックプレート１４の後方（裏側）にはバックカバー１５が配置されている。バックカバー１５は、爪の引っ掛けのような係止手段によって、バックプレート１４に固定されている。
【００２３】
(2).背もたれ
次に、背もたれ装置の詳細を、図３以下の図面を参照して説明する。図３は背もたれ５を省略した状態での正面図、図４は部分的な斜視図、図５のうち（Ａ）は背もたれ板５の部分正面図、（Ｂ）は（Ａ）のＢ−Ｂ視断面図、図６は図３のVI−VI視断面図、図７は図３の VII-VII視断面図、図８は図３の VIII-VIII視断面図、図９及び図１０は図３及び図７のIX−IX視断面図である。
【００２４】
図６や図７に示すように、背支持フレーム６ａの上部は断面角形のパイプ状になっている。他方、バックプレート１４は合成樹脂製であり、図４に明示するように、バックプレート１４の上部前面に形成したブラケット部１７に、背支持フレーム６ａの上端部をねじ１８で固定している。
【００２５】
背支持フレーム６ａの上下中途部は補強部材１９で連結されており、この補強部材１９を、ブラケット片を介してバックプレート１４に固定している。
【００２６】
背もたれ板１１はＰＰ等の合成樹脂製であり、図５に示すように、その上部に左右一対の下向き鉤２０を形成し、この下向き鉤部２０を、バックプレート１４におけるブラケット部１７に形成した係止穴２１に上方から嵌め入れている。
【００２７】
また、背もたれ板１１の下端部には上向き鉤状の下係止爪２２を形成しており、この下係止爪２２を、その弾性に抗しての変形により、背支持フレーム６ａの補強部材１９に下方から係合させている。この場合、下係止爪２２が前後方向に移動し得るように設定している。これは、背もたれ板１１の下部が人の体格に応じて前進動することを許容するためである。
【００２８】
なお、図３や図４に示すように、バックプレート１４の上部前面には、上下に開口した筒部２３を左右に適宜隔てて配置している。これは、アッパー背もたれやヘッドレストのような継ぎ足し部材２４を取り付けるためのもので、継ぎ足し部材２４に設けた足体２５が筒部２３に嵌入する。
【００２９】
(3).昇降機構
例えば図３や図６〜図８に示すように、背支持フレーム６ａにはコ字状の昇降体２６が上下動自在に被嵌している。左右の昇降体２６は連結板２７で一体に連結されており、また、左右の昇降体２６には合成樹脂製のスライダー２８を嵌め込んでいる。
【００３０】
図７及び図８に示すように、バックプレート１４の前面のうち背支持フレーム６ａの上部と重なった部位に固定側ラック２９を一体形成している一方、昇降体２６のスライダー２８には、固定側ラック２９と噛合する可動側ラック３０を形成している。
【００３１】
両ラック２９，３０は、通常の状態では係合状態が保持され、昇降体２６にある程度の力を掛けると弾性変形によって係合が解除されるように設定されている。なお、着座した人が背もたれ５にもたれ掛かった場合、両ラック２９，３０は互いに噛み合うように密着する。
【００３２】
(4).押圧体
左右昇降体２６の上端部の前面には、左右外向きに延びる支軸３２が溶接等によって固着されており、この支軸３２にハンドル３３を固定している。すなわち、ハンドル３３は、バックカバー１５の後方（裏側）において水平状に延びる部分３３ａと、その両端に連続した左右端部３３ｂとを有しており、ハンドル３３の左右端部３３ｂに支軸を一体に固定している。従って、バックカバー１５はハンドル３３で裏側及び左右両側から囲われている。また、図８に示すように、ハンドル３３を握ってある程度以上の力で上下方向に押し引きすると、昇降体２６を上下動させることができる。
ハンドル３３の左右端部３３ｂは水平状に延びる部分３３ａの左右両端より上方に延びており、前記支軸３２はハンドル３３のうち水平状に延びる部分３３ａの左右両端よりも上方において左右端部３３ａに固定されている。
【００３３】
前記支軸３２の付け根部には、押圧体３４の上端部が貫通している。図３に示すように、押圧体３４の上下中途部には前後に開口した窓穴３５が空いている。また、図９に示すよう、押圧体３４は、その下端部３４ａが背もたれ板１１の後面に当たっている。
【００３４】
押圧体３４のち窓穴３５の箇所には、後ろ向きに突出した左右のブラケット３６が一体に形成されており、このブラケット３６に回転自在に貫通した操作軸３７に、カム３８を相対回転不能に固定している。操作軸３７はハンドル３３の端部に若干の遊びを持った状態で貫通しており、外側には摘まみ３７ａを取り付けている。
【００３５】
カム３８の外周面には、操作軸３７の軸心からの距離が異なる複数（５つ）のカム面３８ａが形成されており、任意のカム面が支持板３９に当たるように設定している。
【００３６】
例えば図５に示すように、背もたれ板１１のうち押圧体３４の下端部３４ａが当たる左右両側端寄り部位には、略水平状に延びる多数のスリット４０が形成されている。このため、背もたれ板１１はその左右両側部において側面視で前向き凸状に変形し易くなっている。
【００３７】
(5).まとめ
以上の構成において、ハンドル３３を手で上下動させることにより、押圧体３４の高さ位置を着座した人の腰の高さに合わせることができる。この押圧体３４の高さ調節は、椅子から降りて行うこともできるし、着座したままでハンドル３３の左右両側部に手を掛けることによっても行える。
【００３８】
また、着座したままで操作軸３７を回転させることにより、図９〜図１０に示すように押圧体３４を回動させることができる。これにより、背もたれ板１１の  前向き突出量を着座した人の体格や骨格等に応じて調節することができる。
【００３９】
この場合、背もたれ板１１のうち押圧体３４が当たる部分にスリット４０を多段に設けているため、押圧体３４を任意の高さに変更しても、背もたれ板１１を、押圧体３４が当たっている部分が大きく突出するように側面視前向き凸状に変形させることができる。このため、様々の身長・体格の人の腰部に背もたれ板１１をフィットさせることができる。
【００４０】
押圧体を３４を一体構造とすることに代えて、図７（Ｂ）に示すように、下向きの回動式アーム４１に押圧部としてローラ４２を回転自在に設けた構成としても良い。このようにすると、押圧体３４の昇降をよりスムースに行うことができる。
【００４１】
ハンドル３３のうち水平状に延びる部分３３ａの左右両端部を支軸３２よりも下方に位置させているため、人が着座したままの状態で昇降操作を行いやすい利点がある。
【００４２】
(6).その他
本発明は更に様々に具体化することができる。例えば、押圧体の前向き突出調節は、ハンドルを支軸の回りに回動させることによって行ってもよい。この場合、ハンドルを一方向に何回か回動するとカムが元の状態に戻るようなロータリー方式にすると、操作が簡単で使い勝手が良い。
【００４３】
背支持フレームは角パイプ状には限らず、丸パイプ製としたり平板製などとすることも可能である。
【００４４】
背もたれ板を変形しやすくするための弱化手段としては実施形態のようなスリットには限らず、薄肉部や切り線を形成するなどしても良い。押圧体の前進量を調節する調節手段としては、実施形態のようなカムを使用することには限らず、クサビ体を使用したりねじを使用したりするなどしても良い。
【図面の簡単な説明】
【図１】本実施形態に係る椅子の正面図である。
【図２】椅子の右側面図である。
【図３】背もたれを省略した状態での背もたれ装置の正面図である。
【図４】部分的な斜視図である。
【図５】 (A)は背もたれ板の部分正面図、 (B)は (A)のB-B 視断面図である。
【図６】図３のVI−VI視断面図である。
【図７】 (A)は図３の VII-VII視断面図、 (B)は変形例の部分断面図である。
【図８】図３の VIII-VIII視断面図である。
【図９】 (A)は図３及び図７のIXA-IXA 視断面図、 (B)は押圧体の動きを示す図である。
【図10】押圧体の動きを示す図である。
【符号の説明】
５  背もたれ
６  背支持フレーム
１１  背もたれ板
１３  背支持機構
１４  バックプレート
１５  バックカバー
２６  昇降体
３２  支軸
３３  ハンドル
３４  押圧体
３７  操作軸
４０  スリット
【図１】
0004021162.tif 000002
【図２】
0004021162.tif 000003
【図３】
0004021162.tif 000004
【図４】
0004021162.tif 000005
【図５】
0004021162.tif 000006
【図６】
0004021162.tif 000007
【図７】
0004021162.tif 000008
【図８】
0004021162.tif 000009
【図９】
0004021162.tif 000010
【図１０】
0004021162.tif 000011